(57)【要約】      （修正有）【課題】ピストンの傾きに起因した液漏れ、内圧上昇に伴う液漏れを確実に防止する。【解決手段】噴射ノズル１を備えたボディ２と、インテイク３ａの基部を内装しボディ２を容器の口部に固定保持するキャップ３と、ボディ２に枢支軸を介して揺動可能に支持された操作レバー４と、インテイク３ａを通して容器内の空気を置換する開孔６を有するシリンダー５及び往復移動するピストン７からなるポンプとを備えたトリガー式液体噴出器において、ピストン７に、シリンダー５の壁面に沿って摺動する外側及び内側に位置する直列配置の２つのシールリップ８ａ、８ｂを設け、シールリップ８ａ、８ｂの相互間に、ピストン７の往復移動のかかわりなしに開孔６を位置せしめる空間領域Ｋを設け、シリンダー５に、操作レバー４の牽曳限界位置においてのみ外側のシールリップ８ａとシリンダー５の内壁面との間に隙間を形成してシリンダー５内に外気を導入する凹部９を形成する。【選択図】図１
2005211807.tif 000002
【特許請求の範囲】
【請求項１】
噴射ノズルを備えたボディと、インテイクの基部を内装しボディを容器の口部に固定保持するキャップと、前記ボディに枢支軸を介して揺動可能に支持された操作レバーと、前記インテイクを通して容器内の空気を置換する開孔を有するシリンダー及びこのシリンダー内にて往復移動するピストンからなるポンプとを備えたトリガー式液体噴出器であって、
前記ピストンに、シリンダーの壁面に沿って摺動する外側及び内側に位置する直列配置の２つのシールリップを設け、
前記２つのシールリップの相互間に、ピストンの往復移動のかかわりなしに開孔を位置せしめる空間領域を設け、
前記シリンダーに、操作レバーの牽曳限界位置においてのみ外側のシールリップとシリンダーの内壁面との間に隙間を形成してシリンダー内に外気を導入する凹部を形成してなることを特徴とするトリガー式液体噴出器。
【請求項２】
前記外側及び内側のシールリップは、加圧された液体の圧力に応じて壁面での接触圧を高める傘状体からなる請求項１記載のトリガー式液体噴出器。
【請求項３】
前記シリンダーは水平に配置されたもので、前記開口はシリンダーの下側に位置する壁面に、また、前記凹部はシリンダーの上側に位置する壁面にそれぞれ設けられたものである、請求項１又は２記載のトリガー式液体噴出器。
【発明の詳細な説明】
【技術分野】
【０００１】
本発明は、トリガー式液体噴出器に関するものであり、該噴出器に組み込まれるポンプピストンのシール部からの液漏れを確実に防止しようとするものである。
【背景技術】
【０００２】
トリガー式の液体噴出器はそのボディにシリンダー及びピストンからなるポンプが組み込まれていて、操作レバーの牽曳にてピストンをシリンダー内で往復移動させ容器内の液体を吸引、加圧することで噴射ノズルを通して液体を外界に噴出させることができるようになっている（例えば、特許文献１参照）。
【特許文献１】特開平８−２６６９６４号公報
【０００３】
ところで、従来の液体噴出器に組み込まれるポンプは、シリンダーにおけるピストンのシールリップの内外の幅（接触範囲）が短いため、操作レバーの牽曳に際してピストンの軸心がシリンダーに軸心からずれた状態で往復移動することもあって（斜め引きされる）、この場合、ピストンの摺動部分におけるシール部（シールリップ）が不完全になることから作動漏れが発生する可能性が存在していた。
【０００４】
また、ポンプのシリンダーには普通、空気置換用のインテイクを通して外気を導入し容器内の空気を置換する開孔が設けられており、ピストンが静止状態にあるときはその内外のシールリップ間に該開孔が位置して液漏れを防止し、操作レバーの牽曳限界位置で該開孔が開放されて効率的な空気置換が行われるようになっているが、容器内の圧力が上昇し該開孔から液体が噴出してしまうような状態では液体が外側に位置するシールリップを押し窄めてしまうことから外に漏れ出てしまう不具合があり、これに対処すべく、ピストンのシール部の締め代を強化することも試みられてはいるものの、締め代の強化は摺動抵抗の増大を招くため操作レバーをスムーズに牽曳することができない不都合があること、また、ピストンを元の状態に復帰させるスプリングについても摺動抵抗が増加するため反発力の高いスプリングを選定する必要が生じ操作レバーの牽曳力が増大するのが避けられないこと、等のデメリットがあり未だ改善の余地が残されていた。
【発明の開示】
【発明が解決しようとする課題】
【０００５】
本発明の課題は、従来生じていた上述のような不具合を解決できる新規なトリガー式液体噴出器を提案するところにある。
【課題を解決するための手段】
【０００６】
本発明は、噴射ノズルを備えたボディと、インテイクの基部を内装しボディを容器の口部に固定保持するキャップと、前記ボディに枢支軸を介して揺動可能に支持された操作レバーと、前記インテイクを通して容器内の空気を置換する開孔を有するシリンダー及びこのシリンダー内にて往復移動するピストンからなるポンプとを備えたトリガー式液体噴出器であって、
前記ピストンに、シリンダーの壁面に沿って摺動する外側及び内側に位置する直列配置の２つのシールリップを設け、
前記２つのシールリップの相互間に、ピストンの往復移動のかかわりなしに開孔を位置せしめる空間領域を設け、
前記シリンダーに、操作レバーの牽曳限界位置においてのみ外側のシールリップとシリダーの内壁面との間に隙間を形成してシリンダー内に外気を導入する凹部を形成してなることを特徴とするトリガー式液体噴出器である。
【０００７】
上記の構成になるトリガー式液体噴出器において、前記外側及び内側のシールリップは、加圧された液体の圧力に応じて壁面での接触圧を高める傘状体からなるものがとくに望ましく、また、シリンダーは水平に配置されたものとし、前記開口をシリンダーの下側に位置する壁面に、また、前記凹部をシリンダーの上側に位置する壁面にそれぞれ設けるのがよい。
【発明の効果】
【０００８】
ピストンに２つのシールリップを直列に配置し、その相互間にピストンの往復移動にかかわりなしに開孔を位置せしめる比較的長い空間領域を設ける（シール部の幅が長い）ことで、ピストンの傾き（ピストンの軸心とシリンダーの軸心のずれ）をなくすことができ、これにより作動漏れが生じることはない。加えて、スプリングの反発力も下げることができ液体噴射時の操作レバーの牽曳力を小さく（軽く）することも可能となる。
【０００９】
シールリップを傘状に成形し内圧が高まったときに傘が開いてシリンダーの内壁における接触圧が上昇するようにしておくと、たとえ内側のシールリップがシール不良を起こすことがあっても外側のシールリップによりシール状態が保たれるため作動漏れを起こすことはなく、また、容器内の圧力が上昇してシリンダーの開孔から液体が噴出しても液が漏れ出すことはない。
【００１０】
２つのシールリップのうちの外側のシールリップとシリンダーの内壁面との間にトリガーの牽曳限界位置で外気が導入できる隙間を形成することで容器内の空気は効率よく置換される。
【発明を実施するための最良の形態】
【００１１】
以下、図面を用いて本発明をより具体的に説明する。
図１は本発明にしたがうトリガー式液体噴出器の実施の形態を示したものであり、図２はその要部を拡大して示した図である（図２中ピストンの軸心を境にして上側が操作レバーを牽曳した状態を示したものであり、下側が操作レバーがもとの状態に復帰した状態を示したもの）。
【００１２】
図における１は噴射ノズル、２は内部通路を有し噴射ノズル１を保持するボディ、３はボディ２を容器の口部に固定保持するキャップであり、このキャップ３にはインテイク３ａの基部が内装されている。
【００１３】
また、４はボディ２に枢支軸Ｓを介して揺動可能に支持された操作レバー、５はボディ２に一体的に設けられた水平配置になるシリンダー、６はシリンダー５の下側の壁面に設けられインテイク３ａの連通孔につながる開孔、７はシリンダー５に配置されるピストンであって、このピストン７とシリンダー５によって液体の吸引、加圧を行うためのポンプを構成する。
【００１４】
８ａ、８ｂはシリンダー５の壁面に沿って摺動する外側及び内側に位置する直列配置（ピストン７の軸心Ｌに沿って配置される）になるシールリップであり、このシールリップ８ａ、８ｂはその断面形状がシリンダー５の奥底に向かう先端を有する傘状体からなっておりその相互間にはピストン７の往復移動にかかわりなしに開孔６を位置せしめる空間領域Ｋが設けられている。
【００１５】
さらに、９はシリンダーの上側の壁面に設けられた凹部である。この凹部９は操作レバー４の牽曳限界位置（ピストン７の先端がシリンダー５の奥底に当たる位置を意味するもので図２の上側参照）において外側のシールリップ８ａとの間で隙間を形成して外気を導入するものであり、ここから導入された空気は開孔６及びインテイク３ａを通して容器内に入り込み該容器内の空気を置換して容器内が負圧になるのを防止して液体を効率的に噴出させる。
【００１６】
図３は従来形式になるトリガー式液体噴出器の断面を示したものである。図示したような従来の噴出器に組み込まれるピストン１０はシール部における寸法ｍが短いため操作レバー１１の牽曳に際してピストン１０の軸心がシリンダー１２の軸心からずれた状態で往復移動することもあり、この場合、シール部からの液体の漏れ（作動漏れ）は避けられないことになるが、本発明にしたがう液体噴出器は、直列配置になる２つのシールリップ８ａ、８ｂを設け、その相互間に従来に比べてより長い空間領域Ｋを存在させてあるので、操作レバー４を牽曳した際に安定した牽曳が可能となり、ピストン７が傾いて往復移動することがなく、したがって作動漏れが生じることがない。
【００１７】
また、シールリップ８ａ、８ｂを空間領域Ｋを隔てて２つ直列に配置した場合、例えば内側のシールリップ８ｂがシール不良となっても外側のシールリップ８ａによりシール状態が保たれることになる。
【００１８】
さらにシールリップ８ａ、８ｂは内圧が高まったときに傘状体が開いてシリンダー７の内壁に対する接触面圧が上昇して液漏れを回避する。
【産業上の利用可能性】
【００１９】
操作レバーの牽曳に際してピストンが斜め引きされて作動漏れを起こすことがなく、容器内の内圧が上昇して空気の置換を行う開孔から液体が噴出しても該液体が外に漏れでることがないトリガー式の液体噴出器を提供できる。
【図面の簡単な説明】
【００２０】
【図１】本発明にしたがう液体噴出器の実施の形態を示した図である。
【図２】図１に示した液体噴出器の要部拡大図である。
【図３】従来形式になる液体噴出器の構成を示した図である。
【符号の説明】
【００２１】
１  噴射ノズル
２  ボディ
３  キャップ
３ａ  インテイク
４  操作レバー
５  シリンダー
６  開孔
７  ピストン
８ａ  外側のシールリップ
８ｂ  内側のシールリップ
９  凹部
１０  ピストン
１１  操作レバー
１２  シリンダー
【図１】
2005211807.tif 000003
【図２】
2005211807.tif 000004
【図３】
2005211807.tif 000005